(57)【要約】【課題】  補助ロック装置を適切な高さ位置で室内側の引き戸に搭載できるようにして、窓枠に対するセット作業が容易でありかつ収納場所が不要で便利な補助ロック装置を提供する。【解決手段】  室外側の引き戸２７の横桟３３に室内から当接する第一拡張片３と、戸枠３１の室内段差３２に当接する第二拡張片４と、これらの拡張片３，４がその間の相対間隔を変更できるように設けられているケーシング２と、両拡張片３，４の相対間隔を拡張又は縮小するための操作手段５とを備えている引き戸の補助ロック装置において、両拡張片３，４が横桟３３と室内段差３２の間に嵌め込まれる高さ位置にケーシング２を室内側の引き戸２７に搭載することができる取付ブラケット１９を設ける。【選択図】      図４
2006144515.tif 000002
【特許請求の範囲】
【請求項１】
室外側の引き戸の横桟に室内から当接する第一拡張片と、戸枠の室内段差に当接する第二拡張片と、これらの拡張片がその間の相対間隔を変更できるように設けられているケーシングと、前記両拡張片の相対間隔を拡張又は縮小するための操作手段とを備えている引き戸の補助ロック装置において、
前記両拡張片が前記横桟と前記室内段差の間に嵌め込まれる高さ位置に前記ケーシングを前記室内側の引き戸に搭載することができる取付ブラケットが設けられていることを特徴とする引き戸の補助ロック装置。
【請求項２】
前記取付ブラケットは、室内側の引き戸の縦桟の外周側面に取り付け可能な取付プレー  トと、この取付プレートから突設されかつ前記ケーシングに形成された取付孔に嵌合されて当該ケーシングを水平状態に保持する保持フックとを備えている請求項１に記載の引き戸の補助ロック装置。
【請求項３】
室内側の引き戸の縦桟の外周側面に設けられている突起物との干渉を避けるための逃げ溝が取付プレートに形成されている請求項２に記載の引き戸の補助ロック装置。
【請求項４】
取付孔に対する嵌合度合いを強化するための抜け止め突起が保持フックに形成されている請求項２又は３に記載の引き戸の補助ロック装置。
【発明の詳細な説明】
【技術分野】
【０００１】  本発明は、本来の錠装置とは別に室内外の両引き戸を補助的にロックするための引き戸の補助ロック装置に関する。
【背景技術】
【０００２】  例えば、建物の窓部や玄関を構成するアルミサッシは、戸枠に設けた内外二列のレールに室内外の引き戸を走行自在に設けることによって構成され、これら室内外の引き戸の施錠は、一般に、両引き戸を閉鎖したときに戸枠の中央で重なり合う縦桟同士をいわゆるクレセント錠で固定することによって行われる。【０００３】  しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。
このような補助ロック装置として、室外側の引き戸の横桟に室内から当接する第一拡張片と、戸枠の室内段差に当接する第二拡張片と、前記第一拡張片を先端部に一体に有しかつこの第一拡張片との相対間隔を変更できるように前記第二拡張片が移動自在に設けられたケーシングと、前記第二拡張片を移動させるための操作手段とを備えたものがある（例えば、特許文献１〜３参照）。【０００４】  そして、かかる従来の補助ロック装置によれば、両拡張片を室外側の引き戸と戸枠の室内段差の間に嵌め込んだ状態でケーシングを窓枠にセットしたあと、第二拡張片を室内側に移動させて両拡張片の間隔を拡げるように操作手段を操作すると、室外側の引き戸が第一拡張片に押圧されて開かないようになるとともに、室内側の引き戸はケーシングそのものが邪魔になって開かないようになり、室内外の両引き戸をロックすることができる。
【特許文献１】  実公平７−１２５９６号公報
【特許文献２】  特開２０００−６４６９９号公報
【特許文献３】  特開２００３−２９３６４７号公報
【発明の開示】
【発明が解決しようとする課題】
【０００５】  上記従来の補助ロック装置では、室内側の引き戸とは完全に分離した状態で、戸枠の長手方向における任意の位置にセットすることができるので、引き戸を半開き状態でもロックすることができるという点で便利である。
しかし、その反面、当該補助ロック装置を使用する場合に、両拡張片を室外側の引き戸と戸枠の室内段差の間に嵌め込んだ状態でケーシングを窓枠にセットする作業が面倒であり、しかも、当該補助ロック装置を使用しない場合の収納場所に困るという欠点がある。【０００６】  そこで、本発明の課題は、補助ロック装置を適切な高さ位置で室内側の引き戸に搭載できるようにして、窓枠に対するセット作業が容易でありかつ収納場所が不要で便利な補助ロック装置を提供する点にある。
【課題を解決するための手段】
【０００７】  本発明は、前記した第一拡張片と第二拡張片と相対間隔を拡張又は縮小することで窓枠に着脱される引き戸の補助ロック装置において、前記両拡張片が横桟と室内段差の間に嵌め込まれる高さ位置に前記ケーシングを室内側の引き戸に搭載することができる取付ブラケットが設けられていることを特徴とする。
かかる本発明の補助ロック装置によれば、上記取付ブラケットによって両拡張片が横桟と室内段差の間に嵌め込まれる高さ位置にケーシングを室内側の引き戸に搭載することができるので、補助ロック装置を使用する際に、その都度窓枠に対するセット作業をやり直す必要がなくなり、窓枠に対するセット作業が容易になる。【０００８】  また、取付ブラケットを介してケーシングを室内側の引き戸に搭載することができるので、補助ロック装置の収納場所が不要になり、この点で使い勝手が向上する。
上記の本発明において、取付ブラケットは、室内側の引き戸のどこかの部分に補助ロック装置を連結できるものであればよく、その形状や構造は特に限定されないが、室内側の引き戸の縦桟の外周側面に取り付け可能な取付プレートと、この取付プレートから突設されかつケーシングに形成された取付孔に嵌合されて当該ケーシングを水平状態に保持する保持フックとを備えたものを採用することが好ましい。【０００９】  かかる構造の取付ブラケットの場合には、補助ロック装置のケーシングには上記取付孔を形成するだけで足りるので、製作コストを極力低減することができる。
また、かかる構造の取付ブラケットを採用する場合には、室内側の引き戸の縦桟の外周側面に設けられている突起物との干渉を避けるための逃げ溝を取付プレートに形成するようにすれば、そのような突起物がある引き戸の縦桟に対しても取付ブラケットを適切な高さ位置に取り付けることができる。【００１０】  また、上記構造の取付ブラケットを採用する場合において、取付孔に対する嵌合度合いを強化するための抜け止め突起を保持フックに形成しておけば、取付ブラケットに搭載した後のケーシングの水平状態をより安定化させることができる。
【発明の効果】
【００１１】  以上の通り、本発明によれば、補助ロック装置を適切な高さ位置で室内側の引き戸に搭載することができるので、補助ロック装置の窓枠に対するセット作業が容易になるとともに、同補助ロック装置の収納場所が不要となって使い勝手が向上する。
【発明を実施するための最良の形態】
【００１２】  以下、図面を参照しつつ、本発明の実施の形態を説明する。
図１及び図４は本発明に係る補助ロック装置１を示している。
図１に示すように、本実施形態の補助ロック装置１は、鋼材等の金属材料を平面視ほぼ長方形状に形成してなるケーシング２と、このケーシング２の先端部に一体に突設された第一拡張片３と、この第一拡張片３に対して接近離反自在となるようにケーシング２に設けられた第二拡張片４と、この第二拡張片４を移動させるための操作手段５と、を備えている。【００１３】  第一及び第二拡張片３，４は、いずれもケーシング２の幅寸法にほぼ相当する長さを有する板材よりなり、ケーシング２の裏面側において互いに平行となるように同裏面側に突出して配置されている。
本実施形態では、上記第一及び第二拡張片３，４のうち、第一拡張片３の当接面側にゴムプレート等よりなる第一パッド７が固定され、第二拡張片４の当接面側に同じくゴムプレート等よりなる第二パッド８が固定されている。【００１４】  前記ケーシング２は、第一拡張片３とは別部材とされた裏面側が開放された表面ケース１０と、この表面ケース１０の裏面側開放部を施蓋する裏面ケース１１とを備えており、表面ケース１０の中央部分に形成された円形孔に回動プレート１２が回動自在に収納されている。
このケーシング２の内部には、上記回動プレート１２の回動に伴って表面ケース１０の長手方向に移動するスライドプレート（図示せず。）が設けられている。このスライドプレートの裏面側に前記第二拡張片４が突設されていて、この第二拡張片４は、前記裏面ケース１１の中央部に形成されたガイド孔（図示せず。）に貫通状に挿通されてケーシング２の裏面側に突出している。【００１５】  回動プレート１２の表面中央部には、操作つまみ１５に対する連結部として機能する係合溝１６が形成されており、この係合溝１６の底面中央部には工具阻害突起として機能する中央ピン１７が収納されている。従って、操作つまみ１５を係合溝１６に差し込んだ状態で同つまみ１５を回動することにより、回動プレート１２をケーシング２に対して相対回動させることができる。
なお、係合溝１６の中央部に前記中央ピン１７が設けられているので、ねじ回し等の工具を係合溝１６に差し込んで回動プレート１２を回動することはできず、専用の断面形状をした上記係合ボス部１９を有する当該操作つまみ１５でしか回動プレート１２を回動できないようになっている。【００１６】  ケーシング２の内部には、回動プレート１２の回転運動を第二拡張片４の室内外方向直線運動に切り換えるための螺旋カム機構が設けられている。この螺旋カム機構の構造及び作用は背景技術に記載した従来の補助ロック装置と同じである。すなわち、回動プレート１２の裏面には、同プレート１２の回動中心からの距離が漸次変化する渦巻き状に形成された螺旋リブが一体に突設され、前記スライドプレートの表面には、その螺旋リブに係合する複数の摺動片がケーシングの長手方向に一定間隔おきに形成されている。
このため、回動プレート１２が回動されると螺旋リブが各摺動片に順送りに噛み合い、これによってスライドプレートとその裏面側の第二拡張片４がケーシング２の長手方向に移動し、第二拡張片４の第一拡張片３に対する相対間隔が拡張又は縮小されるようになっている。【００１７】  しかして、本実施形態では、上記操作つまみ１５、回動プレート１２及びこれと螺旋カム機構を介して連動連結されたスライドプレートにより、両拡張片３，４の相対間隔を拡張又は縮小するための前記操作手段５が構成されている。
本実施形態の補助ロック装置１は、更に、前記両拡張片３，４が横桟３３と室内段差３２の間に嵌め込まれる高さ位置となるようにケーシング２を室内側の引き戸２７に搭載するための取付ブラケット１９を備えている。【００１８】  図２に示すように、この取付ブラケット１９は、室内側の引き戸の縦桟の外周側面に取り付け可能な縦長の長方形状の取付プレート２０と、この取付プレート２０の下端部から一体に突設された保持フック２１とを備えており、取付プレート２０の裏面には、縦桟２９の外周側面３０に対する固定部材である両面テープ２２が貼り付けられている。
上記保持フック２１は、取付プレート２０の下端部を側面視Ｌ字状に屈曲することによって構成された上向きの板状片よりなる。他方、ケーシング２の幅方向両端部には、同ケーシング２を表裏方向に貫通する室内外方向に長いスリット状の取付孔２３が形成されており、この取付孔２３は、保持フック２１の上端部が丁度嵌合するスリット幅を有している。【００１９】  このため、上向きの板状片よりなる保持フック２１の上端部をケーシング２の取付孔２３に差し込むことにより、当該ケーシング２を水平状態に保持できるようになっている。なお、取付孔２３のスリット長さは保持フック２１の幅よりもやや大きめに設定されており、これによってケーシング２の室内外方向位置を調節できるようになっている。
また、取付プレート２０の下端部には、室内側の引き戸２７の縦桟２９の外周側面に設けられている突起物（図示せず。）との干渉を避けるための縦長の逃げ溝２４が形成されている。更に、保持フック２１の上端部には、ケーシング２の取付孔２３に対する嵌合度合いを強化するための左右一対の抜け止め突起２５がポンチ等によって形成されている。【００２０】  次に、図５を参照しつつ、上記構成に係る補助ロック装置１の使用方法及び作用を説明する。
本実施形態の補助ロック装置１を使用するには、まず、取付ブラケット１９の取付プレート２０を室内側の引き戸２７の縦桟２９の外周側面３０の所定高さに固定しておく。他方、操作つまみ１５で回動プレート１２を回動させることにより、第一拡張片３と第二拡張片４の相対間隔を室外側の引き戸２８と戸枠３１の室内段差３２の間よりも狭い状態にしておく。【００２１】  次に、取付ブラケット１９の保持フック２１をケーシング２の取付孔２３に差し込み、当該ケーシング２を取付ブラケット１９を介して室内側の引き戸２７に搭載することにより、両拡張片３，４が室外側の引き戸２８の横桟３３と戸枠３１の室内段差３２の間に嵌め込まれた状態となるようにケーシング２を窓枠の下部にセットする。
その後、第二拡張片４が第一拡張片３から離れる方向に操作つまみ１５を回動すると、第二拡張片４が第二パッド８を介して戸枠３１の室内段差３２を押圧すると同時に、第一拡張片３が第一パッド７を介して室外側の引き戸２８の横桟３３を押圧し、これによって室外側の引き戸２８が開かないようになるとともに、室内側の引き戸２７はケーシング２そのものが邪魔になって開かないようになり、室内外の両引き戸２７，２８が同時にロックされることになる。【００２２】  なお、上記のようにして補助ロック装置１をロックした後は、操作つまみ１５を回動プレート１２から取り外し、そのつまみ１５を侵入者の手が届かない場所に仕舞っておけばよい。
なお、本発明は上記実施形態に限定されるものではない。
例えば、図４に示す使用例では、補助ロック装置１を窓枠の下部にセットした場合を例示しているが、同装置１を窓枠の上部にセットすることもできる。
図３は、補助ロック装置１を窓枠の上部にセットする場合に用いる取付ブラケット１９であり、この場合の取付ブラケット１９は、取付プレート２０の上端部に保持フック２１が形成されている。【００２３】  また、特開２０００−６４６９９号の場合と同様に、前記第一及び第二拡張片３，４には、ゴムパッドではなく、引き戸２７や室内段差３２に設けた固定プレートのラック歯に噛み合う噛合歯を形成することにしてもよい。
【図面の簡単な説明】
【００２４】
【図１】  本発明に係る補助ロック装置１の斜視図である。
【図２】  （ａ）は引き戸の下端部に取り付けられる取付ブラケットの正面図であり、（ｂ）は同ブラケットの側面図であり、（ｃ）は同ブラケットの平面図である。
【図３】  （ａ）は引き戸の上端部に取り付けられる取付ブラケットの正面図であり、（ｂ）は同ブラケットの側面図であり、（ｃ）は同ブラケットの平面図である。
【図４】  本発明に係る補助ロック装置の使用例を示す窓枠の下部の断面図である。
【符号の説明】
【００２５】  １      補助ロック装置
２      ケーシング
３      第一拡張片
４      第二拡張片
５      操作手段
１９      取付ブラケット
２０      取付プレート
２１      保持フック
２３      取付孔
２４      逃げ溝
２５      抜け止め突起
２７      引き戸（室内側）
２８      引き戸（室外側）
２９      縦桟
３０      外周側面
３１      戸枠
３２      室内段差
３３      横桟
【図１】
2006144515.tif 000003
【図２】
2006144515.tif 000004
【図３】
2006144515.tif 000005
【図４】
2006144515.tif 000006